(57)【要約】【課題】建物に使われる窓ガラスの表面に部分的に傷ができた場合に、ガラス交換によってかかるはずだったコストを削減できるようにする技術を提供する。【解決手段】建物に使われる窓ガラスの表面にできた部分的な傷を補修する方法であって、（ａ）傷付近の汚れを洗浄するステップと、（ｂ）前記傷に光硬化樹脂を充填するステップと、（ｃ）充填した前記光硬化樹脂の剰余分を削り取るステップと、（ｄ）削り取った後のガラス表面を磨き上げるステップと、を含む補修方法。【選択図】図１
2020083730.tif 000002
【特許請求の範囲】
【請求項１】
建物に使われる窓ガラスの表面にできた部分的な傷を補修する方法であって、
（ａ）傷付近の汚れを洗浄するステップと、
（ｂ）前記傷に光硬化樹脂を充填するステップと、
（ｃ）充填した前記光硬化樹脂の剰余分を削り取るステップと、
（ｄ）削り取った後のガラス表面を磨き上げるステップと、
を含む補修方法。
【請求項２】
請求項１に記載のガラス表面の傷の補修方法において、
前記（ａ）ステップでは、前記傷付近をドリルによって削り取り、補修領域を拡大し、洗浄液を散布し、前記洗浄処理を施す、ガラス表面の傷の補修方法。
【請求項３】
請求項１に記載のガラス表面の傷の補修方法において、
前記（ｂ）ステップでは、前記補修領域に光硬化樹脂を塗布し、クリアフィルムを密着させ、光硬化樹脂用光源を照射し、前記充填処理を施す、ガラス表面の傷の補修方法。
【請求項４】
請求項１に記載のガラス表面の傷の補修方法において、
前記（ｃ）ステップでは、前記補修領域に充填し硬化した樹脂の剰余部分をドリルによって削り取り、工具によってガラス表面を平滑にし、前記剰余分を削り取る、ガラス表面の傷の補修方法。
【請求項５】
請求項１に記載のガラス表面の傷の補修方法において、
前記（ｄ）ステップでは、前記削り取った後の補修領域に研磨剤を塗布し、道具によってガラス表面を磨き上げる、ガラス表面の傷の補修方法。
【発明の詳細な説明】
【技術分野】
【０００１】
本発明は、補修方法に関する。
【背景技術】
【０００２】
例えば自動車のフロントガラスについて、車の走行中に、他の車のタイヤ等によって道路上の小石が跳ねて、車のフロントガラスやリアウィンドガラス等にあたり、これらの窓ガラスに損傷ができることがある。このフロントガラス等の損傷は、そのまま放置しておいては、自動車の運転に支障をきたし、また、損傷が広がる恐れもある。さらには、フロントガラスの損傷は、車検時に不適合になるので、一刻も早く、その補修が求められている。
【０００３】
従来、自動車のフロントガラス等に損傷が生じた場合には、フロントガラス全体を交換することが行われていたが、フロントガラス全体の交換は、フロントガラスが、合わせガラスによって構成されており、高価格であった。そのため近年、損傷した部分のみを補修するガラスリペアシステムが提案されている。
【０００４】
特開２０００−３３５３８３号公報（特許文献１）には、ガラスリペア作業（自動車窓ガラス補修作業）に、例えば、車の所有者自らが、特に熟練を要することなしに、しかも、容易な補修作業を行うのみで、フロントガラス等の自動車窓ガラスの損傷箇所を補修可能な簡便な補修方法と、そのために用いる補修用キットを提供する技術が開示されている。
【０００５】
また、特開平１０−１０２００９号公報（特許文献２）には、例えば自動車の合わせ板ガラスにひび割れが生じた場合に、そのひび割れの中に透明接着剤を注入してひび割れを補修する板ガラスのひび割れ補修方法とひび割れ補修装置に関する技術が開示されている。
【先行技術文献】
【特許文献】
【０００６】
【特許文献１】特開２０００−３３５３８３号公報
【特許文献２】特開平１０−１０２００９号公報
【発明の概要】
【発明が解決しようとする課題】
【０００７】
自動車のフロントガラスについては、前記特許文献１および前記特許文献２で開示されている技術によりガラスの補修を行うことができた。しかし、建物に使われる窓ガラスの表面に部分的に傷ができた場合、従来の方法では、傷を含む窓ガラス全体を交換しなくてはならず、作業コストおよび材料コストがかかるという問題があった。
【０００８】
また、建物に使われる窓ガラスに加わる傷にはひび、および欠けといったものがある。従来の方法では、窓ガラス全体を交換することなく、そのようなひび、および欠けを修復することはできないという問題があった。
【０００９】
さらに、仮にそのまま放置すれば、前記ガラス傷により美観が損なわれるし、さらに前記ガラス傷に誤って触れた場合に怪我の危険が発生するという問題があった。
【００１０】
本発明の目的は、建物に使われる窓ガラスの表面に部分的に傷ができた場合に、ガラス交換によってかかるはずだったコストを削減できるようにすることである。
【課題を解決するための手段】
【００１１】
本願において開示される発明のうち、代表的なものの概要を簡単に説明すれば、次の通りである。
【００１２】
本発明の一実施の形態のガラス傷の補修方法は、建物に使われる窓ガラスの表面にできた部分的な傷を修復させる方法であって、傷付近の汚れを洗浄する（ａ）ステップを有する。また、前記傷に光硬化樹脂を充填する（ｂ）ステップを有する。また、充填した前記光硬化樹脂の剰余分を削り取る（ｃ）ステップを有する。また、削り取った後のガラス表面を磨き上げる（ｄ）ステップを有する。
【発明の効果】
【００１３】
本願において開示される発明のうち、代表的なものによって得られる効果を簡単に説明すれば以下のとおりである。
【００１４】
本発明の代表的な実施の形態によれば、建物に使われる窓ガラスの表面に部分的に傷ができた場合に、ガラス交換によってかかるはずだったコストを削減できる。
【図面の簡単な説明】
【００１５】
【図１】本発明の実施の形態のガラス傷の補修方法の全体のステップの一例を示すフロー図である。
【図２】本発明の実施の形態のガラス傷の補修方法の適用されるガラス表面の傷の一例を示す模式図である。
【図３】本発明の実施の形態のガラス傷の補修方法の適用されるガラス表面の裏側に鏡を設置している様子を示す概念図である。
【図４】本発明の実施の形態のガラス傷の補修方法の適用されるガラス表面の傷を拡大している様子を示す概念図である。
【図５】本発明の実施の形態のガラス傷の補修方法の適用されるガラス表面の傷を拡大している実施例の一部を示す概念図である。
【図６】本発明の実施の形態のガラス傷の補修方法の適用されるガラス表面の傷を拡大した領域に洗浄液を散布している様子を示す概念図である。
【図７】本発明の実施の形態のガラス傷の補修方法の適用されるガラス表面の傷を拡大した領域に光硬化樹脂を塗布している様子を示す概念図である。
【図８】本発明の実施の形態のガラス傷の補修方法の適用されるガラス表面の傷を拡大した領域にクリアフィルムを密着している様子を示す概念図である。
【図９】本発明の実施の形態のガラス傷の補修方法の適用されるガラス表面の傷を拡大した領域にクリアフィルムを密着している実施例の一部を示す概念図である。
【図１０】本発明の実施の形態のガラス傷の補修方法の適用されるガラス表面の傷を拡大した領域に光硬化樹脂用光源を照射している様子を示す概念図である。
【図１１】本発明の実施の形態のガラス傷の補修方法の適用されるガラス表面の傷を拡大した領域に充填し硬化した樹脂の剰余部分を削り取る様子を示す概念図である。
【図１２】本発明の実施の形態のガラス傷の補修方法の適用されるガラス表面の傷を拡大した領域に充填し硬化した樹脂の剰余部分を削り取った後に、清掃する様子を示す概念図である。
【図１３】本発明の実施の形態のガラス傷の補修方法の適用されるガラス表面の削り取った後の補修領域に研磨剤を塗布している様子を示す概念図である。
【図１４】本発明の実施の形態のガラス傷の補修方法の適用されるガラス表面の削り取った後の補修領域を磨き上げている様子を示す概念図である。
【発明を実施するための形態】
【００１６】
以下、本発明の実施の形態を図面に基づいて詳細に説明する。なお、実施の形態を説明するための全図において、同一部には原則として同一の符号を付し、その繰り返しの説明は省略する。
【００１７】
（実施の形態）
以下では、本発明の一実施の形態のガラス傷の補修方法について説明する。本実施の形態のガラス傷の補修方法は、建物に使われる窓ガラスの表面にできた部分的な傷を修復させる補修方法である。
【００１８】
＜鏡を設置する方法＞
初めに、鏡を設置する方法について説明する。図１は、実施の形態のガラス傷の補修方法の全体のステップの一例を示すフロー図である。
【００１９】
図１に示すガラス傷の補修方法においては、まず、ガラス傷を含むガラス傷付近の裏側に鏡を設置する（図１のステップＳ１）。
【００２０】
このステップＳ１におけるガラス傷を含むガラス傷付近の裏側に鏡を設置する具体的手法としては、特に限定されないが、例えば、図２で示すようなガラス傷に対して、図３で示すように、鏡に備えられている吸盤をガラス表面に接着させる。このとき、補修対象となる傷およびクラックがガラスの裏側から確認できるように、鏡の反射面を、例えばガラス表面に対して平行となるように設置する。なお、設置する位置は特に限定されないが、補修対象となる傷およびクラックをガラスの裏側から確認できる範囲であればよい。また、鏡は、ガラス表面と反射面との間でなす角度が平行から垂直までの間の任意の角度で保持できるように可動させることができる。このように鏡を設置することによって、ガラスの表側からは隠れている補修対象の傷およびクラックを発見することができる。また、ガラスの裏側から補修対象の傷およびクラックを確認することができ、作業性を向上させることができる。
【００２１】
＜傷付近の汚れを洗浄する方法＞
次に、傷付近の汚れを洗浄する方法について説明する。図１に示すガラス傷の補修方法においては、まず、ガラス傷を含むガラス傷付近の表面を削り取ることにより、補修領域を拡大する（図１のステップＳ２）。
【００２２】
このステップＳ２におけるガラス傷付近の表面を削り取る具体的手法としては、特に限定されないが、例えば、図２で示すようなガラス傷に対して、図４で示すようにガラス傷付近の表面をドリルによって削り取ることができる。また、傷によってガラス表面に突起が発生した場合についても、同様にしてドリルによって削り取ることができる。なお、ドリルに代わりサンドペーパーおよび刃物を使用してもよい。このとき、削り取る範囲は特に限定されないが、補修対象となる傷およびクラックを覆い尽くせる範囲以上であればよい。このように補修領域を拡大することによって、補修対象の傷およびクラックに混入した空気やゴミをより確実に除去させ、確実に清掃することができる。また、傷によってガラス表面に突起が発生した場合については、削り取ることによって表面付近をならすことができる。
【００２３】
この削り取り方としては、特に限定されないが、例えば、図５で示すように斜線を入れることによって格子状に削り取るか、スポット状に孔を形成するように削り取ることができる。このように削り取ることによって、ガラス表面と光硬化樹脂の密着性を高めることができ、光硬化樹脂を効率的に充填することができる。
【００２４】
図１に示すガラス傷の補修方法においては、次に、補修領域に洗浄液を散布する（図１のステップＳ３）。
【００２５】
このステップＳ３における洗浄液を散布する具体的手法としては、特に限定されないが、例えば、図６で示すように低圧の噴霧器等を用いて散布する。散布のしかたは、特に限定されないが、噴霧器を補修対象に対してやや上方に向けて、一定の強さで均一的に散布する。このようにやや上方に洗浄液を散布することで、補修領域の汚れを洗い流すことができ、より確実に補修領域を洗浄することができる。なお、散布する範囲については、特に限定されないが、例えば、補修対象の中心から２ｃｍから７ｃｍくらいまでの範囲に行う。このようにして傷の汚れを取り、光硬化樹脂を効率的に接着・充填することができる。
【００２６】
洗浄液としては、特に限定されないが、例えばイソプロピルアルコールを使用することができる。イソプロピルアルコールは揮発性が高く、消毒効果および脱脂効果を有する。イソプロピルアルコールを使用することにより、効果的に補修領域を洗浄することができる。
【００２７】
＜補修領域に光硬化樹脂を充填する方法＞
次に、本発明の実施の形態のガラス傷の補修方法として、補修領域に光硬化樹脂を充填する方法について説明する。図１に示すガラス傷の補修方法においては、補修領域に光硬化樹脂を塗布する（図１のステップＳ４）。
【００２８】
このステップＳ４における光硬化樹脂を塗布する具体的手法としては、特に限定されないが、例えば、図７に示すように、光硬化樹脂を補修領域に対し上方から直接に滴下することができる。
【００２９】
光硬化樹脂としては、特に限定されないが、例えば紫外線硬化型エポキシ樹脂を使用することができる。紫外線硬化型エポキシ樹脂は硬化までの速度が速く、作業時間を短縮することができる。また、紫外線を照射しないと硬化しないため、作業工程の制約が少なくすむ。さらに、常温で硬化を行うことができ、補修対象を加熱する必要がなくてすむ。
【００３０】
傷が小さい場合は、特に限定されないが、例えば傷の直径が５ミリ以下の場合は、吸引器具を使用する。これによって、光硬化樹脂を充填する場所に余分な空気やゴミが混入しないようにすることができる。
【００３１】
傷およびクラックが表面から深いなどの理由により、例えば手が届かないときなどは、例えば注射器によって光硬化樹脂を塗布することができる。
【００３２】
図１に示すガラス傷の補修方法においては、次に、補修領域にクリアフィルムを密着させる（図１のステップＳ５）。
【００３３】
このステップＳ５における補修領域にクリアフィルムを密着させる具体的手法としては、特に限定されないが、例えば、図８に示すように、光硬化樹脂を充填した補修領域の面に対しクリアフィルムを平行にして、補修領域より大きな範囲に対し直接にクリアフィルムを密着させることができる。これにより、光硬化樹脂を補修領域から外に漏らすことを防ぐことができる。また、光硬化樹脂を補修領域に保持しながら、傷およびクラックの細部まで光硬化樹脂を均一に浸透させることができる。
【００３４】
また、図９で示すように、補修領域の下方にクリアフィルムをあて、クリアフィルムの上辺に光硬化樹脂を溜め込むようにして補修領域に充填することができる。これにより、光硬化樹脂を補修領域から外に漏らすことを防ぐことができる。また、傷およびクラックに対し光硬化樹脂を均一に浸透させることができる。
【００３５】
クリアフィルムとしては、特に限定されないが、例えば、塩化ビニル板を使用する。この素材としては、紫外線透過性が高いものを用いる。これにより、クリアフィルムの上から紫外線を照射させても光硬化樹脂を硬化させることができる。また、厚みは１ミリ程度の薄くて軽いものを使用する。これにより、作業工程の制約が少なくすむ。
【００３６】
図１に示すガラス傷の補修方法においては、次に、補修領域に光硬化樹脂用光源を照射する（図１のステップＳ６）。
【００３７】
このステップＳ６における補修領域に光硬化樹脂用光源を照射する具体的手法としては、特に限定されないが、例えば、図１０に示すように、光硬化樹脂が充填された補修領域に対して密着させているクリアフィルムの上から、補修領域に対し直接に光硬化樹脂用光源を照射させることができる。このように照射することにより、クリアフィルムで光硬化樹脂を補修領域に保持したままで、補修領域に充填された光硬化樹脂を効果的に硬化させることができる。
【００３８】
光硬化樹脂用光源は紫外線である。紫外線を照射することにより、光硬化樹脂が硬化する速度が速くなる。また、照射する時間については、特に限定されないが、例えば、１分間から光硬化樹脂が硬化するまでの間とする。
【００３９】
図１に示すガラス傷の補修方法において、必要がある場合にはステップＳ４からステップＳ６を繰り返して行うことができる（図１のステップＳ７）。
【００４０】
必要がある場合とは、特に限定されないが、例えば、ガラス傷の損傷具合が大きく、ステップＳ４からステップＳ６を１回行っても光硬化樹脂の充填が不十分な場合である。このような場合にステップＳ４からステップＳ６を繰り返して行うことにより、より確実に補修領域に光硬化樹脂を充填することができる。
【００４１】
＜充填した光硬化樹脂の剰余分を削り取る方法＞
次に、本発明の実施の形態のガラス傷の補修方法として、必要がある場合に、充填した光硬化樹脂の剰余分を削り取る方法について説明する（図１のステップＳ８）。
【００４２】
このステップＳ８における光硬化樹脂の剰余分を削り取る具体的手法としては、特に限定されないが、例えば、図１１で示すように光硬化樹脂の剰余分をドリルによって削り取り遊離させることができる。また、ドリルに代わりサンドペーパーおよび刃物を使用してもよい。このように光硬化樹脂の剰余分を削り取ることによって、ガラス表面を平滑にすることができる。
【００４３】
なお、本工程を行う必要がある場合とは、例えば、ステップＳ７までの工程を行ったあとでガラス傷付近の表面に光硬化樹脂の剰余分がはみ出たような場合および、補修領域の内に傷およびクラックが隠れていたような場合である。このような場合に光硬化樹脂の剰余分を削り取ることにより、ガラス表面を平滑にすることができる。また、補修領域の内に隠れていた傷およびクラックに、光硬化樹脂を充填することができる。
【００４４】
その後、図１２で示すように前記遊離した光硬化樹脂の剰余分をさらに工具によって清掃することができる。
【００４５】
なお、剰余分とは、光硬化樹脂が硬化した後でガラス傷付近の表面にはみ出た分を意味する。また、前記工具としては特に限定されないが、例えば金尺などがある。
【００４６】
＜削り取った後のガラス表面を磨き上げる方法＞
次に、本実施の形態のガラス傷の補修方法として、削り取った後のガラス表面を磨き上げる方法について説明する。図１に示すガラス傷の補修方法においては、前記削り取った後の補修領域に研磨剤を塗布する（図１のステップＳ９）。
【００４７】
このステップＳ９における前記削り取った後の補修領域に研磨剤を塗布する具体的手法としては、特に限定されないが、例えば、図１３で示すように研磨剤が内容された薬瓶から補修領域に対し直接に滴下することができる。また、この研磨剤としては、例えば、一般に使用される液体状の油性コンパウンドおよび水性コンパウンドを使用することができる。このようにして、脱脂および清掃を行うことができる。また、ガラス表面の汚れを効果的に落とすことができる。
【００４８】
図１に示すガラス傷の補修方法においては、前記研磨剤を塗布した後に、道具によってガラス表面を磨き上げる（図１のステップＳ１０）。
【００４９】
このステップＳ１０における前記研磨剤を塗布した後に、道具によってガラス表面を磨き上げる具体的手法としては、特に限定されないが、例えば、図１４で示すように道具によって補修領域を含むガラス表面を直接に磨き上げることができる。なお、道具としては例えば布巾がある。このようにしてガラス傷によって損なわれた美観を回復させることができる。
【００５０】
また、前記研磨剤を塗布した後に、防汚コートを塗布することができる。防汚コートを塗布する具体的手法としては、特に限定されないが、例えば、図１３で示すように防汚コートが内容された薬瓶から補修領域に対し直接に滴下することができる。また、この防汚コートとしては、特に限定されないが、例えば、一般に使用されるフッ素化合物を溶剤に溶かした液体状のものを使用することができる。防汚コートは撥水性および撥油性を有するため、防汚コートを塗布することにより、汚れを付きにくくすることができる。
【００５１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００５２】
また、上記した実施の形態は本発明を分かりやすく説明するために詳細に説明したものであり、必ずしも説明した全ての構成を備えるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換を行ってもよい。
【符号の説明】
【００５３】
１…建物用窓ガラス、２…傷、３…鏡、４…吸盤、５…ドリル、６…補修領域、７…洗浄液、８…光硬化樹脂、９…クリアフィルム、１０…光硬化樹脂用光源、１１…樹脂剰余分、１２…工具、１３…研磨剤および防汚コート、１４…道具。
【図１】
2020083730.tif 000003
【図２】
2020083730.tif 000004
【図３】
2020083730.tif 000005
【図４】
2020083730.tif 000006
【図５】
2020083730.tif 000007
【図６】
2020083730.tif 000008
【図７】
2020083730.tif 000009
【図８】
2020083730.tif 000010
【図９】
2020083730.tif 000011
【図１０】
2020083730.tif 000012
【図１１】
2020083730.tif 000013
【図１２】
2020083730.tif 000014
【図１３】
2020083730.tif 000015
【図１４】
2020083730.tif 000016
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
建物に使われる窓ガラスの表面にできた部分的な傷を補修する方法であって、
前記補修方法は、前記窓ガラスのガラス傷を含むガラス傷付近の裏側に鏡を設置して行う補修方法であり、
（ａ）傷付近の汚れを洗浄するステップと、
（ｂ）前記傷に光硬化樹脂を充填するステップと、
（ｃ）充填した前記光硬化樹脂の剰余分を削り取るステップと、
（ｄ）削り取った後のガラス表面を磨き上げるステップと、
を含む補修方法。
【請求項２】
請求項１に記載のガラス表面の傷の補修方法において、
前記（ａ）ステップでは、前記傷付近をドリルによって格子状またはスポット状に孔を形成するように削り取り、補修領域を拡大し、洗浄液を散布し、前記洗浄処理を施す、ガラス表面の傷の補修方法。
【請求項３】
請求項１に記載のガラス表面の傷の補修方法において、
前記（ｂ）ステップでは、前記補修領域に光硬化樹脂を塗布し、クリアフィルムを密着させ、光硬化樹脂用光源を照射し、前記充填処理を施す、ガラス表面の傷の補修方法。
【請求項４】
請求項１に記載のガラス表面の傷の補修方法において、
前記（ｃ）ステップでは、前記補修領域に充填し硬化した樹脂の剰余部分をドリルによって削り取り、工具によってガラス表面を平滑にし、前記剰余分を削り取る、ガラス表面の傷の補修方法。
【請求項５】
請求項１に記載のガラス表面の傷の補修方法において、
前記（ｄ）ステップでは、前記削り取った後の補修領域に研磨剤を塗布し、道具によってガラス表面を磨き上げる、ガラス表面の傷の補修方法。
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
建物に使われる窓ガラスの表面にできた部分的な傷を補修する方法であって、
前記補修方法は、前記窓ガラスのガラス傷を含むガラス傷付近の裏側に鏡をその反射面がガラス表面に対して平行となるように設置して行う補修方法であり、
（ａ）傷付近の汚れを洗浄するステップと、
（ｂ）前記傷に光硬化樹脂を充填するステップと、
（ｃ）充填した前記光硬化樹脂の剰余分を削り取るステップと、
（ｄ）削り取った後のガラス表面を磨き上げるステップと、
を含む補修方法であり、
前記鏡は、前記ガラス表面と前記反射面との間でなす角度が平行から垂直までの間の任意の角度で保持できるように可動させることができ、
前記（ａ）ステップでは、前記傷付近をドリルによって格子状またはスポット状に孔を形成するように削り取り、補修領域を拡大し、洗浄液を散布し、前記洗浄処理を施す、
ガラス表面の傷の補修方法。
【請求項２】
請求項１に記載のガラス表面の傷の補修方法において、
前記（ｂ）ステップでは、前記補修領域に光硬化樹脂を塗布し、クリアフィルムを密着させ、光硬化樹脂用光源を照射し、前記充填処理を施す、
ガラス表面の傷の補修方法。
【請求項３】
請求項１に記載のガラス表面の傷の補修方法において、
前記（ｃ）ステップでは、前記補修領域に充填し硬化した樹脂の剰余部分をドリルによって削り取り、工具によってガラス表面を平滑にし、前記剰余分を削り取る、
ガラス表面の傷の補修方法。
【請求項４】
請求項１に記載のガラス表面の傷の補修方法において、
前記（ｄ）ステップでは、前記削り取った後の補修領域に研磨剤を塗布し、道具によってガラス表面を磨き上げる、
ガラス表面の傷の補修方法
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
建物に使われる窓ガラスの表面にできた部分的な傷を補修する方法であって、
前記補修方法は、前記窓ガラスのガラス傷を含むガラス傷付近の裏側に鏡をその反射面がガラス表面に対して平行となるように設置して行う補修方法であり、
（ａ）傷付近の汚れを洗浄するステップと、
（ｂ）前記傷に光硬化樹脂を充填するステップと、
（ｃ）充填した前記光硬化樹脂の剰余分を削り取るステップと、
（ｄ）削り取った後のガラス表面を磨き上げるステップと、
を含む補修方法であり、
前記鏡は、前記ガラス表面と前記反射面との間でなす角度が平行から垂直までの間の任意の角度で保持できるように可動させることができ、
前記（ａ）ステップでは、前記傷付近をドリルによって格子状またはスポット状に孔を形成するように削り取り、補修領域を補修対象となる傷およびクラックを覆い尽くせる範囲以上に拡大し、洗浄液を散布し、前記洗浄処理を施し、
前記（ｂ）ステップでは、補修領域の下方にクリアフィルムをあて、クリアフィルムの上辺に光硬化樹脂を溜め込むようにして拡大した補修領域に光硬化樹脂を充填し、光硬化樹脂用光源を照射する、
ガラス表面の傷の補修方法。
【請求項２】
請求項１に記載のガラス表面の傷の補修方法において、
前記（ｃ）ステップでは、前記補修領域に充填し硬化した樹脂の剰余部分をドリルによって削り取り、工具によってガラス表面を平滑にし、前記剰余分を削り取る、
ガラス表面の傷の補修方法。
【請求項３】
請求項１に記載のガラス表面の傷の補修方法において、
前記（ｄ）ステップでは、前記削り取った後の補修領域に研磨剤を塗布し、道具によってガラス表面を磨き上げる、
ガラス表面の傷の補修方法